(57)【要約】【課題】樋支持具の強度が保持でき、かつ薄肉化によってコストの低減が図れる樋支持具を提供する。【解決手段】樋支持具１は、樋支持具本体３０と、樋支持具本体３０を一端１０ａで支持する支持片部１０と、支持片部１０の他端１０ｂより折曲延設された取付片部２０とを備えており、支持片部１０および取付片部２０の両側縁部と内部ならびに取付片部２０の基端縁部に凸条１１、１２、２１、２２、２４が形成されているとともに、両側縁部および基端縁部の凸条１１、２１、２４と内部の凸条１２、２２間ならびに内部の凸条１１、２２相互間に凹条１３、２３を形成している。【選択図】図１
2010150881.tif 000002
【特許請求の範囲】
【請求項１】
樋支持具本体と、該樋支持具本体を一端で支持する支持片部および該支持片部の他端より折曲延設された取付片部よりなる固定部材を備えた樋支持具において、
上記支持片部および上記取付片部の両側縁部と内部ならびに上記取付片部の基端縁部に凸条が形成されているとともに、上記両側縁部および上記基端縁部の凸条と上記内部の凸条間ならびに上記内部の凸条相互間に凹条を形成していることを特徴とする樋支持具。
【請求項２】
請求項１において、
上記樋支持具本体の両側縁部には、上記支持片部の両側縁部の凸条に嵌合する凸条が形成されている樋支持具。
【請求項３】
請求項１または２において、
上記支持片部の凹条は、上記樋支持具本体を支持している一端側に向けて下り傾斜している樋支持具。
【請求項４】
請求項１〜３のいずれか１項において、
上記支持片部の幅を他端に至るにしたがって幅広に形成している樋支持具。
【発明の詳細な説明】
【技術分野】
【０００１】
本発明は、軒先に設置される雨樋を支持する樋支持具に関する。
【背景技術】
【０００２】
従来のこの種の樋支持具として、軒先に沿って配設する雨樋を上方から吊り支持する吊り式タイプのものがある。この吊り式タイプの樋支持具は、雨樋を吊り支持する構造となっているとともに、樋支持具自身を軒先に固定できるような構造となっているが、軒先より前方に配される雨樋を吊り支持する必要があるから、通例では樋支持具は、軒先へ固定するための取付片部と、取付片部から前方（雨樋の方向）にアーム状に延びた、雨樋を支持するための支持片部とを備えた、例えば倒Ｌ字形の形状となっている（例えば、特許文献１、２を参照）。
【０００３】
なお、特許文献２のものは、雨樋の軒先からの出具合調節を可能とするために、雨樋を直接支持する樋支持具本体と、その樋支持具本体とは別体に形成され、支持片部および取付片部よりなる固定部材とより構成されており、樋支持具本体と、固定部材の支持片部とが前後方向に相互にスライド可能な構造となっている。
【０００４】
上記いずれの構成においても、樋支持具はアーム状の支持片部で雨樋を吊り支持する構造であるから、アーム状に延びた支持片部には所定の強度が求められ、従来では、支持片部をある程度、厚肉に形成することで強度を保持していた。また、取付片部を確実に軒先に固定するために、他の板状部材で取付片部を軒先との間に挟み込んで支持するようにしたものも種々、実施されている。
【特許文献１】特開平９−１５１５７７号公報
【特許文献２】特開２０００−１１０３１５号公報
【発明の開示】
【発明が解決しようとする課題】
【０００５】
しかしながら、支持片部を厚肉にすれば材料コストがかかり、しかも厚肉で重量のある支持片部を有した固定部材自身を、軒先への固着によって支持しなければならないから、その取付片部も厚肉とするか、あるいはその他の強靭な構造とする必要があり、そうすることによっても、さらにコスト高となってしまう。
【０００６】
このような問題を解決するためには、固定部材のすくなくとも支持片部を薄肉にするとともに、薄肉の支持片部の強度を保持するために補強リブを設けることが想定されるが、従来には、支持片部の強度向上のための適切な補強リブを設けたものは提案されていない。
【０００７】
なお、特許文献１の樋支持具は補強リブを備えた構成であるが、軒先（鼻隠し板）に取り付ける取付片部（固定板）に形成したもので、アーム状の支持片部の長手方向に沿って形成されたものではない。また、特許文献２の樋支持具は、凸条片が支持片部に形成されているが、支持片部の長手方向に形成されたものではなく、雨水の誘導のために幅方向あるいは上下方向に設けられたもので、支持片部や、それを含んだ固定部材自体の補強のためのものではない。
【０００８】
本発明は、このような事情を考慮して提案されたもので、その目的は、樋支持具の強度が保持でき、かつ薄肉化によってコストの低減が図れる樋支持具を提供することにある。
【０００９】
本発明者らは、支持片部および取付片部よりなる固定部材に、補強用の凸条を設けることで、薄肉の樋支持具を強化することを種々、試行しているが、そのような凸条による補強構造によって、さらなる付加的な効果をもたらすことも、本発明の目的として含まれている。
【課題を解決するための手段】
【００１０】
上記目的を達成するために、請求項１に記載の樋支持具は、樋支持具本体と、樋支持具本体を一端で支持する支持片部およびその支持片部の他端より折曲延設された取付片部よりなる固定部材を備えた樋支持具において、支持片部および取付片部の両側縁部と内部ならびに取付片部の基端縁部に凸条が形成されているとともに、両側縁部および基端縁部の凸条と内部の凸条間ならびに内部の凸条相互間に凹条を形成していることを特徴としている。
【００１１】
請求項２に記載の樋支持具では、樋支持具本体の両側縁部には支持片部の両側縁部の凸条に嵌合する凸条が形成されている。
【００１２】
請求項３に記載の樋支持具では、支持片部の凹条が樋支持具本体を支持している一端側に向けて下り傾斜している。
【００１３】
請求項４に記載の樋支持具では、支持片部の幅を他端に至るにしたがって幅広に形成している。
【発明の効果】
【００１４】
請求項１に記載の樋支持具によれば、支持片部から、折曲延設された取付片部にかけて複数の凸条を形成しているので、支持片部や取付片部を薄肉化しても、雨樋を支持するための強度を保持することができる。また、支持片部から取付片部まで分断することなく、かつ全面にわたって凸条を連成することで、支持片部および取付片部よりなる固定部材全体を補強することができる。その結果、凸条によって強度を向上させることができるため、支持片部および取付片部を薄肉化することができ、樋支持具の材料コストを低減することができる。
【００１５】
このように、支持片部のみならず、取付片部を含む固定部材全体の強度を向上できるので、固定部材を軒先等に固定する場合には、他の板状部材で取付片部を軒先との間に挟み込んで支持する必要がなく、取付片部を直接、ビス等の固定具で軒先に固定することができる。
【００１６】
さらに、支持片部の凸条間に凹条を形成しているので、その凹条は支持片部の後部から前部につながる雨水流路となり得、支持片部に落ちてきた雨水を有効に雨樋へと誘導することができる。
【００１７】
請求項２に記載の樋支持具によれば、樋支持具本体の両側縁部に、支持片部の両側縁部の凸条に嵌合する凸条が形成されているため、支持片部と樋支持具本体との連結を確実に行える。また、樋支持具本体の凸条と、支持片部の凸条（の裏側に形成される凹部）との嵌合連結であるため、複数部材の連結であっても、十分な強度が保障される。
【００１８】
請求項３に記載の樋支持具によれば、支持片部の凹条が樋支持具本体を支持している一端側に向けて下り傾斜しているので、雨水が凹条に滞留することなく効率よく下流へ流すことができる。
【００１９】
請求項４に記載の樋支持具によれば、支持片部の幅を、樋支持具本体を支持している一端から、取付片部を延設している他端に至るにしたがって幅広に形成しているので、支持片部の根元部分を、取付片部と同程度に幅広にでき、内部に複数の凸条を形成することができる。また、支持片部の他端を幅広にしているので、切取り廃棄する材料を最小限に抑えられる。
【発明を実施するための最良の形態】
【００２０】
以下に、本発明の実施の形態について、添付図面を参照しながら説明する。
【００２１】
図１は、本発明の樋支持具の一例を示す分解斜視図であり、図２は、同樋支持具の実施の態様を示す斜視図である。また、図３は同樋支持具の構成部材である固定部材の説明図で、図３（ａ）は平面図、（ｂ）は側面図、（ｃ）は図３（ａ）のＡ−Ａ線の端面図である。
【００２２】
この樋支持具１は、軒樋用の雨樋Ｔを取り付けて雨樋Ｔを上方より吊り支持する樋支持具本体３０と、軒先等に固定し、樋支持具本体３０を連結、支持する固定部材２と、水平方向に回転可能な横回転ロックレバー５０と、樋支持具本体３０と横回転ロックレバー５０の間に介され、この横回転ロックレバー５０のロック操作によって上方に押圧される受板４０とを上下に貫通するリベットＲよりなる連結軸で連結して構成されている。以下、上記各部について詳述する。
【００２３】
固定部材２は、長板状のステンレス材、鋼材等の金属材を略Ｌ字形に折曲して形成されており、これを倒Ｌ字状にして軒先等に取り付けたときに略水平となる支持片部１０と、取り付けたときに略垂直となる取付片部２０とより一体的に構成されている。支持片部１０の一端１０ａに配された、段落ち形成された連結部１４は、樋支持具本体３０と、上下に貫通する複数の孔を介してリベットＲで連結され、取付片部２０はビス等の固定具で直接、軒先等に固定される。
【００２４】
また、固定部材２の上面、つまり支持片部１０の上面と、取付片部２０の軒先等への固着面とには、複数の凸条が形成されている。具体的には、支持片部１０では、その両側縁部に一端１０ａから他端１０ｂに至るまで長手方向に沿った２本の支持片部凸条（側縁部）１１が形成され、内部にも長手方向に沿った３本の支持片部凸条（内部）１２が配列形成されており、それら支持片部凸条（側縁部）１１、支持片部凸条（内部）１２のうち、２本の支持片部凸条（側縁部）１１は、取付片部２０の両側縁部へと延びて平板状の２本の取付片部凸条（固定片）２１を形成しているとともに、３本の支持片部凸条（内部）１２は取付片部２０の内部へと延びて下方に向かう３本の取付片部凸条（内部）２２を形成している。また、取付片部２０の基端縁部には両側縁部の取付片部凸条（固定片）２１間をつなぐ横方向の取付片部凸条（基端縁部）２４が形成されている（図１〜図３を参照）。なお、平板状の２本の取付片部凸条（固定片）２１には、軒先等へ固定するための固定具用の孔２１ａが開設されている。
【００２５】
ようするに、固定部材２の上面には、側縁部から他方の側縁部までの５本の凸条と、取付片部２０の基端縁部の凸条とが形成されている。そして、支持片部凸条（側縁部）１１と支持片部凸条（内部）１２間、および支持片部凸条（内部）１２相互間には支持片部凹条１３が形成され、取付片部凸条（固定片）２１と取付片部凸条（内部）２２間、取付片部凸条（基端縁部）２４と取付片部凸条（内部）２２間、および取付片部凸条（内部）２２相互間には取付片部凹条２３が形成されている。
【００２６】
なお、固定部材２は薄板材で形成され、その裏側には、図３（ｃ）に、図３（ａ）のＡ−Ａ線の端面図を示すように、上面の凸条１１、１２、２１、２２と、凹条１３、２３とに対応した凹凸面が形成されている。
【００２７】
このように、樋支持具１の固定部材２は、支持片部１０の一端１０ａに位置する連結部１４の開放端部を除く周縁部と、周縁部に囲まれた内部とに複数の凸条１１、１２、２１、２２、２４が形成されているので、全面にわたって強度はきわめて高く、固定部材２を薄肉化しても、雨樋を支持するための強度を保持することができる。特に、軒先等よりアーム状に延びた状態となり、雨樋を吊り支持することで負荷のかかる支持片部の強度は格段に向上する。
【００２８】
また、図例のように、支持片部１０から取付片部２０まで分断することなく凸条を連成することで、固定部材２全体を全面にわたって補強することができる。そのため、固定部材２を軒先等に固定する場合に、他の板状部材で取付片部２０を軒先等との間に挟み込んで支持する必要がなく、取付片部２０を直接、ビス等で軒先等に固定することができる。
【００２９】
また、支持片部凸条（側縁部）１１、支持片部凸条（内部）１２間に支持片部凹条１３を形成しているので、その支持片部凹条１３が支持片部１０の後部から前部につながる雨水流路となり得、支持片部１０に落ちてきた雨水を有効に雨樋Ｔへと誘導することができる。雨水を支持片部１０の凹条１３に滞留させることなく確実に効率よく誘導するために、支持片部凹条１３は一端１０ａ側に向けて下り傾斜させることが望ましい。
【００３０】
さらに、固定部材２は、図３（ａ）、（ｂ）に示すように、支持片部１０の幅を、樋支持具本体３０を支持している一端１０ａから、取付片部２０を延設している他端１０ｂに至るにしたがって幅広となるように形成されている。すなわち、支持片部１０の他端１０ｂの根元部分では、取付片部２０と同幅となっており、一端１０ａ側に向かって先細りの形状となっている。そのため、支持片部１０の幅広部分には、本実施形態のように複数の支持片部凸条（側縁部）１１、支持片部凸条（内部）１２を形成することができる。
【００３１】
また、この固定部材２は矩形の板状体より成形されるが、支持片部１０の他端１０ｂ部分が取付片部２０と同幅に連成されているので、切取り廃棄する材料を最小限に抑えられる。
【００３２】
このような固定部材２は、その下方に配される、長孔３１ａを有した樋支持具本体３０と連結される。
【００３３】
なお、本実施形態は、雨樋Ｔの軒先等からの出具合調節を可能とするために、樋支持具本体３０と固定部材２とを、長孔３１ａを介して相互にスライド可能な別体に構成したものを示しているが、上記凸条による補強構造は、出具合調節が不可能な樋支持具にも適用が可能である。例えば、出具合調節が不可能のものとして、固定部材の支持片部自身が、樋支持具本体の機能である、雨樋を直接吊り支持する機能と、それに見合った構造とを有したものが想定できるが、そのような樋支持具であっても、支持片部および取付片部に、図１のような凸条および凹条を形成させることは可能である。
【００３４】
また、樋支持具本体３０は、長板状のステンレス材、鋼材等の金属材よりなり、スライド板本体３１の前後端のそれぞれに、雨樋Ｔを吊り支持するための樋係止部３２を備えているとともに、スライド板本体３１の両側縁部には本体凸条３３が形成されている。この本体凸条３３は、樋支持具本体３０に固定部材２を重合させたときに、支持片部１０の連結部１４の両側縁部に形成されている支持片部凸条（側縁部）１１の裏側にできる凹部と嵌合する（後述する図５を参照）。
【００３５】
このように、固定部材２と樋支持具本体３０とは、相互に嵌合できる程度に形状が合致した支持片部凸条（側縁部）１１、本体凸条３３同士を嵌合させ、重合させて連結させる構造であるため、連結を確実に行うことができ、２部材による構造であっても、強度が弱まるおそれはない。
【００３６】
樋支持具本体３０はさらに、スライド板本体３１の両本体凸条３３間の凹部中央に、長手方向に沿った長孔３１ａが開設されており、その長孔３１ａの周囲部には、長孔３１ａを横断する方向に走る細溝３１ｃを連続して配列した凹凸面部３１ｂが形成されている。
【００３７】
また、この樋支持具本体３０は、固定部材２と同様に薄板材で形成されており、スライド板本体３１の下面にも、上面の凹凸面部３１ｂの加工とともにできた複数の細溝３１ｅよりなる凹凸面部３１ｄが形成されており（後述の図６を参照）、その下面の複数の細溝３１ｅのいずれかに、後述する受板４０の爪部４２が嵌合して相互に係止する構造となっている。
【００３８】
受板４０は、横回転ロックレバー５０によりロック操作がされたときに樋支持具本体３０と係合する一方、アンロック操作がされたときに係合が解除されるように、樋支持具本体３０の直下に、樋支持具本体３０の下面に接するように配されている。
【００３９】
受板４０は略矩形の金属製の平板よりなり、基板４１の中央にリベット貫通用の孔４３が開設されており、樋支持具本体３０の長手方向に直交する方向の両辺縁部には、上方に突き出た爪部４２が形成されている。上述したように、この爪部４２が樋支持具本体３０の下面に形成された細溝３１ｅと係合することで、樋支持具本体３０と固定部材２との連結がロックされる。また、受板４０の下面には、相互に平行な２つの膨出部４４が、樋支持具本体３０のスライド板本体３１の長手方向と直交するように形成されている。
【００４０】
ついで、樋支持具本体３０と、支持片部２０および取付片部３０よりなる固定部材２と、受板４０と、横回転ロックレバー５０との連結構造およびロック機構について、図１〜図３にくわえて、図４〜図６をさらに参照しながら説明する。
【００４１】
図４（ａ）は横回転ロックレバー５０の平面図、（ｂ）は側面図である。図５は、樋支持具１を構成する上記４部材（固定部材２、樋支持具本体３０、受板４０、横回転ロックレバー５０）が連結し、ロックされた状態を示した概略拡大縦断面図である。なお、図５における方向Ｂは、図１の方向Ｂと一致する。図６はロック機構の説明図であり、図６（ａ）はロック状態、（ｂ）はアンロック状態における、受板４０、横回転ロックレバー５０、樋支持具本体３０、固定部材２（支持片部１０）の位置関係を示す縦断面図である。なお図６では、各部材について模式的に図示している。
【００４２】
横回転ロックレバー５０は平板状の金属を切断、折曲してなり、リベットＲ貫通用の孔５２を有した略平行四辺形状の基板５１と、その基板５１の対向する長辺の両辺縁より下方に垂下した一対の下方把持片５４と、基板５１の両鋭角角部５１ａから短辺の延長方向に相互に遠ざかるように延び、孔５２を中心として相互に点対称位置に配された一対の側方把持片５３とを備えている（図４を参照）。
【００４３】
この一対の側方把持片５３はいずれも、基板５１の長辺５１ｂの、鋭角角部５１ａ近傍の一部が外方に向けて立ち上がった立ち上がり片５３ａと、この立ち上がり片５３ａが短辺５１ｃの延長方向に沿って折曲されて外方に延びてなる略三角形状の突出片５３ｂとより構成されている。これら２つの側方把持片５３は、孔５２を中心として相互に点対称となるように配されている（図４を参照）。
【００４４】
この横回転ロックレバー５０は、ロック状態では、図２および図５に示すように、一対の立ち上がり片５３ａが、重なり合った樋支持具本体３０のスライド板本体３１と、固定部材２の支持片部２０とを側方より挟み込むように配されている。そして、このロック状態では、一対の突出片５３ｂはスライド板本体３１の両側縁から両側方に飛び出ている。
【００４５】
また、本実施形態では樋支持具１は、ロック／アンロック状態のいずれであっても、横回転ロックレバー５０の側方把持片５３の上端、つまり側方把持片５３の立ち上がり片５３ａの上端が、固定部材２の支持片部１０の両側縁部に位置する支持片部凸条（側縁部）１１の上端を超えないように配されている（図２および図５を参照）。
【００４６】
樋支持具１をスライド調節する場合には、下方把持片５４を樋支持具１の下側より指先でつまんで回転させるか、または側方把持片５３を樋支持具１の下側あるいは上側より指先で突出片５３ｂにあてがうようにして回転させることで、ロック／アンロック操作をすることができる。
【００４７】
より具体的には、アンロック状態（図６（ｂ）を参照）からロック方向に横回転ロックレバー５０を回転操作すれば、横回転ロックレバー５０の基板５１が受板４０の膨出部４４に乗り上げ、この膨出部４４の、基板４１の裏面からの高さＬ分だけ受板４０を押し上げる。それと同時に、受板４０の爪部４２が樋支持具本体３０の下面を押し上げるとともに、爪部４２が樋支持具本体３０の下面に形成された凹凸面部３１ｄの細溝３１ｅに噛合し、樋支持具本体３０が固定部材２の支持片部１０に圧接して、ロック状態となる（図６（ａ）を参照）。
【００４８】
一方、ロック状態（図６（ａ）を参照）から横回転ロックレバー５０をアンロック方向に回転操作すれば、横回転ロックレバー５０の基板５１が、受板４０の２つの膨出部４４、４４間に嵌まり込むように、受板４０が膨出部４４の高さ分だけ落下するので、樋支持具本体３０も落下して、固定部材２の支持片部１０とのロックが解除されて、膨出部４４の高さＬ分がゆるんだアンロック状態となる（図６（ｂ）を参照）。
【００４９】
なお、以上に示した実施形態では、樋支持具本体３０と固定部材２の支持片部１０とがスライド可能なものとして、横回転ロックレバー５０が２種の把持片を備えた構造を例示したが、そのような構造に限られず、いずれか一方のみの把持片を有した構造であってもよいし、他の形状の把持片を有したものであってもよい。
【図面の簡単な説明】
【００５０】
【図１】本発明の樋支持具の一例を示す分解斜視図である。
【図２】同樋支持具の実施の態様を示す斜視図である。
【図３】同樋支持具の構成部材である固定部材の説明図で、（ａ）は平面図、（ｂ）は側面図、（ｃ）は（ａ）のＡ−Ａ線の端面図である。
【図４】（ａ）は同樋支持具の構成部材である横回転ロックレバーの平面図、（ｂ）は側面図である。
【図５】同樋支持具の４部材が連結し、ロックされた状態を示した概略縦断面図である。
【図６】ロック機構の説明図であり、（ａ）はロック状態、（ｂ）はアンロック状態の概略縦断面図である。
【符号の説明】
【００５１】
１      樋支持具
２      固定部材
Ｔ      雨樋
１０      支持片部
１０ａ      一端
１０ｂ      他端
１１      支持片部凸条（側縁部）
１２      支持片部凸条（内部）
１３      支持片部凹条
２０      取付片部
２１      取付片部凸条（固定片）
２２      取付片部凸条（内部）
２３      取付片部凹条
２４      取付片部凸条（基端縁部）
３０      樋支持具本体
３１      スライド板本体
３３      本体凸条
４０      受板
５０      横回転ロックレバー
５１      基板
５３      側方把持片
５４      下方把持片
【図１】
2010150881.tif 000003
【図２】
2010150881.tif 000004
【図３】
2010150881.tif 000005
【図４】
2010150881.tif 000006
【図５】
2010150881.tif 000007
【図６】
2010150881.tif 000008
【手続補正書】
【提出日】平成21年5月19日(2009.5.19)
【手続補正１】
【補正対象書類名】明細書
【補正対象項目名】全文
【補正方法】変更
【補正の内容】
【発明の詳細な説明】
【技術分野】
【０００１】
本発明は、軒先に設置される雨樋を支持する樋支持具に関する。
【背景技術】
【０００２】
従来のこの種の樋支持具として、軒先に沿って配設する雨樋を上方から吊り支持する吊り式タイプのものがある。この吊り式タイプの樋支持具は、雨樋を吊り支持する構造となっているとともに、樋支持具自身を軒先に固定できるような構造となっているが、軒先より前方に配される雨樋を吊り支持する必要があるから、通例では樋支持具は、軒先へ固定するための取付片部と、取付片部から前方（雨樋の方向）にアーム状に延びた、雨樋を支持するための支持片部とを備えた、例えば倒Ｌ字形の形状となっている（例えば、特許文献１、２を参照）。
【０００３】
なお、特許文献２のものは、雨樋の軒先からの出具合調節を可能とするために、雨樋を直接支持する樋支持具本体と、その樋支持具本体とは別体に形成され、支持片部および取付片部よりなる固定部材とより構成されており、樋支持具本体と、固定部材の支持片部とが前後方向に相互にスライド可能な構造となっている。
【０００４】
上記いずれの構成においても、樋支持具はアーム状の支持片部で雨樋を吊り支持する構造であるから、アーム状に延びた支持片部には所定の強度が求められ、従来では、支持片部をある程度、厚肉に形成することで強度を保持していた。また、取付片部を確実に軒先に固定するために、他の板状部材で取付片部を軒先との間に挟み込んで支持するようにしたものも種々、実施されている。
【特許文献１】特開平９−１５１５７７号公報
【特許文献２】特開２０００−１１０３１５号公報
【発明の開示】
【発明が解決しようとする課題】
【０００５】
しかしながら、支持片部を厚肉にすれば材料コストがかかり、しかも厚肉で重量のある支持片部を有した固定部材自身を、軒先への固着によって支持しなければならないから、その取付片部も厚肉とするか、あるいはその他の強靭な構造とする必要があり、そうすることによっても、さらにコスト高となってしまう。
【０００６】
このような問題を解決するためには、固定部材のすくなくとも支持片部を薄肉にするとともに、薄肉の支持片部の強度を保持するために補強リブを設けることが想定されるが、従来には、支持片部の強度向上のための適切な補強リブを設けたものは提案されていない。
【０００７】
なお、特許文献１の樋支持具は補強リブを備えた構成であるが、軒先（鼻隠し板）に取り付ける取付片部（固定板）に形成したもので、アーム状の支持片部の長手方向に沿って形成されたものではない。また、特許文献２の樋支持具は、凸条片が支持片部に形成されているが、支持片部の長手方向に形成されたものではなく、雨水の誘導のために幅方向あるいは上下方向に設けられたもので、支持片部や、それを含んだ固定部材自体の補強のためのものではない。
【０００８】
本発明は、このような事情を考慮して提案されたもので、その目的は、樋支持具の強度が保持でき、かつ薄肉化によってコストの低減が図れる樋支持具を提供することにある。
【０００９】
本発明者らは、支持片部および取付片部よりなる固定部材に、補強用の凸条を設けることで、薄肉の樋支持具を強化することを種々、試行しているが、そのような凸条による補強構造によって、さらなる付加的な効果をもたらすことも、本発明の目的として含まれている。
【課題を解決するための手段】
【００１０】
上記目的を達成するために、請求項１に記載の樋支持具は、樋支持具本体と、樋支持具本体を一端で支持する支持片部およびその支持片部の他端より折曲延設された取付片部よりなる固定部材を備えた樋支持具において、支持片部および取付片部の両側縁部と内部ならびに取付片部の基端縁部に凸条が形成されているとともに、両側縁部および基端縁部の凸条と内部の凸条間ならびに内部の凸条相互間に凹条を形成していることを特徴としている。
【００１１】
請求項２に記載の樋支持具では、樋支持具本体の両側縁部には支持片部の両側縁部の凸条に嵌合する凸条が形成されている。
【００１２】
請求項３に記載の樋支持具では、支持片部の凹条が樋支持具本体を支持している一端側に向けて下り傾斜している。
【００１３】
請求項４に記載の樋支持具では、支持片部の幅を他端に至るにしたがって幅広に形成している。
【発明の効果】
【００１４】
請求項１に記載の樋支持具によれば、支持片部から、折曲延設された取付片部にかけて複数の凸条を形成しているので、支持片部や取付片部を薄肉化しても、雨樋を支持するための強度を保持することができる。また、支持片部から取付片部まで分断することなく、かつ全面にわたって凸条を連成することで、支持片部および取付片部よりなる固定部材全体を補強することができる。その結果、凸条によって強度を向上させることができるため、支持片部および取付片部を薄肉化することができ、樋支持具の材料コストを低減することができる。
【００１５】
このように、支持片部のみならず、取付片部を含む固定部材全体の強度を向上できるので、固定部材を軒先等に固定する場合には、他の板状部材で取付片部を軒先との間に挟み込んで支持する必要がなく、取付片部を直接、ビス等の固定具で軒先に固定することができる。
【００１６】
さらに、支持片部の凸条間に凹条を形成しているので、その凹条は支持片部の後部から前部につながる雨水流路となり得、支持片部に落ちてきた雨水を有効に雨樋へと誘導することができる。
【００１７】
請求項２に記載の樋支持具によれば、樋支持具本体の両側縁部に、支持片部の両側縁部の凸条に嵌合する凸条が形成されているため、支持片部と樋支持具本体との連結を確実に行える。また、樋支持具本体の凸条と、支持片部の凸条（の裏側に形成される凹部）との嵌合連結であるため、複数部材の連結であっても、十分な強度が保障される。
【００１８】
請求項３に記載の樋支持具によれば、支持片部の凹条が樋支持具本体を支持している一端側に向けて下り傾斜しているので、雨水が凹条に滞留することなく効率よく下流へ流すことができる。
【００１９】
請求項４に記載の樋支持具によれば、支持片部の幅を、樋支持具本体を支持している一端から、取付片部を延設している他端に至るにしたがって幅広に形成しているので、支持片部の根元部分を、取付片部と同程度に幅広にでき、内部に複数の凸条を形成することができる。また、支持片部の他端を幅広にしているので、切取り廃棄する材料を最小限に抑えられる。
【発明を実施するための最良の形態】
【００２０】
以下に、本発明の実施の形態について、添付図面を参照しながら説明する。
【００２１】
図１は、本発明の樋支持具の一例を示す分解斜視図であり、図２は、同樋支持具の実施の態様を示す斜視図である。また、図３は同樋支持具の構成部材である固定部材の説明図で、図３（ａ）は平面図、（ｂ）は側面図、（ｃ）は図３（ａ）のＡ−Ａ線の端面図である。
【００２２】
この樋支持具１は、軒樋用の雨樋Ｔを取り付けて雨樋Ｔを上方より吊り支持する樋支持具本体３０と、軒先等に固定し、樋支持具本体３０を連結、支持する固定部材２と、水平方向に回転可能な横回転ロックレバー５０と、樋支持具本体３０と横回転ロックレバー５０の間に介され、この横回転ロックレバー５０のロック操作によって上方に押圧される受板４０とを上下に貫通するリベットＲよりなる連結軸で連結して構成されている。以下、上記各部について詳述する。
【００２３】
固定部材２は、長板状のステンレス材、鋼材等の金属材を略Ｌ字形に折曲して形成されており、これを倒Ｌ字状にして軒先等に取り付けたときに略水平となる支持片部１０と、取り付けたときに略垂直となる取付片部２０とより一体的に構成されている。支持片部１０の一端１０ａに配された、段落ち形成されリベット孔１４ａを有した連結部１４は、樋支持具本体３０と、上下に貫通する複数の孔を介してリベットＲで連結され、取付片部２０はビス等の固定具で直接、軒先等に固定される。
【００２４】
また、固定部材２の上面、つまり支持片部１０の上面と、取付片部２０の軒先等への固着面とには、複数の凸条が形成されている。具体的には、支持片部１０では、その両側縁部に一端１０ａから他端１０ｂに至るまで長手方向に沿った２本の支持片部凸条（側縁部）１１が形成され、内部にも長手方向に沿った３本の支持片部凸条（内部）１２が配列形成されており、それら支持片部凸条（側縁部）１１、支持片部凸条（内部）１２のうち、２本の支持片部凸条（側縁部）１１は、取付片部２０の両側縁部へと延びて平板状の２本の取付片部凸条（固定片）２１を形成しているとともに、３本の支持片部凸条（内部）１２は取付片部２０の内部へと延びて下方に向かう３本の取付片部凸条（内部）２２を形成している。また、取付片部２０の基端縁部には両側縁部の取付片部凸条（固定片）２１間をつなぐ横方向の取付片部凸条（基端縁部）２４が形成されている（図１〜図３を参照）。なお、平板状の２本の取付片部凸条（固定片）２１には、軒先等へ固定するための固定具用の孔２１ａが開設されている。
【００２５】
ようするに、固定部材２の上面には、側縁部から他方の側縁部までの５本の凸条と、取付片部２０の基端縁部の凸条とが形成されている。そして、支持片部凸条（側縁部）１１と支持片部凸条（内部）１２間、および支持片部凸条（内部）１２相互間には支持片部凹条１３が形成され、取付片部凸条（固定片）２１と取付片部凸条（内部）２２間、取付片部凸条（基端縁部）２４と取付片部凸条（内部）２２間、および取付片部凸条（内部）２２相互間には取付片部凹条２３が形成されている。
【００２６】
なお、固定部材２は薄板材で形成され、その裏側には、図３（ｃ）に、図３（ａ）のＡ−Ａ線の端面図を示すように、上面の凸条１１、１２、２１、２２と、凹条１３、２３とに対応した凹凸面が形成されている。
【００２７】
このように、樋支持具１の固定部材２は、支持片部１０の一端１０ａに位置する連結部１４の開放端部を除く周縁部と、周縁部に囲まれた内部とに複数の凸条１１、１２、２１、２２、２４が形成されているので、全面にわたって強度はきわめて高く、固定部材２を薄肉化しても、雨樋を支持するための強度を保持することができる。特に、軒先等よりアーム状に延びた状態となり、雨樋を吊り支持することで負荷のかかる支持片部の強度は格段に向上する。
【００２８】
また、図例のように、支持片部１０から取付片部２０まで分断することなく凸条を連成することで、固定部材２全体を全面にわたって補強することができる。そのため、固定部材２を軒先等に固定する場合に、他の板状部材で取付片部２０を軒先等との間に挟み込んで支持する必要がなく、取付片部２０を直接、ビス等で軒先等に固定することができる。
【００２９】
また、支持片部凸条（側縁部）１１、支持片部凸条（内部）１２間に支持片部凹条１３を形成しているので、その支持片部凹条１３が支持片部１０の後部から前部につながる雨水流路となり得、支持片部１０に落ちてきた雨水を有効に雨樋Ｔへと誘導することができる。雨水を支持片部凹条１３に滞留させることなく確実に効率よく誘導するために、支持片部凹条１３は一端１０ａ側に向けて下り傾斜させることが望ましい。
【００３０】
さらに、固定部材２は、図３（ａ）、（ｂ）に示すように、支持片部１０の幅を、樋支持具本体３０を支持している一端１０ａから、取付片部２０を延設している他端１０ｂに至るにしたがって幅広となるように形成されている。すなわち、支持片部１０の他端１０ｂの根元部分では、取付片部２０と同幅となっており、一端１０ａ側に向かって先細りの形状となっている。そのため、支持片部１０の幅広部分には、本実施形態のように複数の支持片部凸条（側縁部）１１、支持片部凸条（内部）１２を形成することができる。
【００３１】
また、この固定部材２は矩形の板状体より成形されるが、支持片部１０の他端１０ｂ部分が取付片部２０と同幅に連成されているので、切取り廃棄する材料を最小限に抑えられる。
【００３２】
このような固定部材２は、その下方に配される、長孔３１ａを有した樋支持具本体３０と連結される。
【００３３】
なお、本実施形態は、雨樋Ｔの軒先等からの出具合調節を可能とするために、樋支持具本体３０と固定部材２とを、長孔３１ａを介して相互にスライド可能な別体に構成したものを示しているが、上記凸条による補強構造は、出具合調節が不可能な樋支持具にも適用が可能である。例えば、出具合調節が不可能のものとして、固定部材の支持片部自身が、樋支持具本体の機能である、雨樋を直接吊り支持する機能と、それに見合った構造とを有したものが想定できるが、そのような樋支持具であっても、支持片部および取付片部に、図１のような凸条および凹条を形成させることは可能である。
【００３４】
また、樋支持具本体３０は、長板状のステンレス材、鋼材等の金属材よりなり、スライド板本体３１の前後端のそれぞれに、雨樋Ｔを吊り支持するための樋係止部３２を備えているとともに、スライド板本体３１の両側縁部には本体凸条３３が形成されている。この本体凸条３３は、樋支持具本体３０に固定部材２を重合させたときに、支持片部１０の連結部１４の両側縁部に形成されている支持片部凸条（側縁部）１１の裏側にできる凹部と嵌合する（後述する図５を参照）。
【００３５】
このように、固定部材２と樋支持具本体３０とは、相互に嵌合できる程度に形状が合致した支持片部凸条（側縁部）１１、本体凸条３３同士を嵌合させ、重合させて連結させる構造であるため、連結を確実に行うことができ、２部材による構造であっても、強度が弱まるおそれはない。
【００３６】
樋支持具本体３０はさらに、スライド板本体３１の両本体凸条３３間の凹部中央に、長手方向に沿った長孔３１ａが開設されており、その長孔３１ａの周囲部には、長孔３１ａを横断する方向に走る細溝３１ｃを連続して配列した凹凸面部３１ｂが形成されている。
【００３７】
また、この樋支持具本体３０は、固定部材２と同様に薄板材で形成されており、スライド板本体３１の下面にも、上面の凹凸面部３１ｂの加工とともにできた複数の細溝３１ｅよりなる凹凸面部３１ｄが形成されており（後述の図６を参照）、その下面の複数の細溝３１ｅのいずれかに、後述する受板４０の爪部４２が嵌合して相互に係止する構造となっている。
【００３８】
受板４０は、横回転ロックレバー５０によりロック操作がされたときに樋支持具本体３０と係合する一方、アンロック操作がされたときに係合が解除されるように、樋支持具本体３０の直下に、樋支持具本体３０の下面に接するように配されている。
【００３９】
受板４０は略矩形の金属製の平板よりなり、基板４１の中央にリベット貫通用の孔４３が開設されており、樋支持具本体３０の長手方向に直交する方向の両辺縁部には、上方に突き出た爪部４２が形成されている。上述したように、この爪部４２が樋支持具本体３０の下面に形成された細溝３１ｅと係合することで、樋支持具本体３０と固定部材２との連結がロックされる。また、受板４０の下面には、相互に平行な２つの膨出部４４が、樋支持具本体３０のスライド板本体３１の長手方向と直交するように形成されている。
【００４０】
ついで、樋支持具本体３０と、支持片部１０および取付片部２０よりなる固定部材２と、受板４０と、横回転ロックレバー５０との連結構造およびロック機構について、図１〜図３にくわえて、図４〜図６をさらに参照しながら説明する。
【００４１】
図４（ａ）は横回転ロックレバー５０の平面図、（ｂ）は側面図である。図５は、樋支持具１を構成する上記４部材（固定部材２、樋支持具本体３０、受板４０、横回転ロックレバー５０）が連結し、ロックされた状態を示した概略拡大縦断面図である。なお、図５における方向Ｂは、図１の方向Ｂと一致する。図６はロック機構の説明図であり、図６（ａ）はロック状態、（ｂ）はアンロック状態における、受板４０、横回転ロックレバー５０、樋支持具本体３０、固定部材２（支持片部１０）の位置関係を示す概略縦断面図である。なお図６では、各部材について模式的に図示している。
【００４２】
横回転ロックレバー５０は平板状の金属を切断、折曲してなり、リベットＲ貫通用の孔５２を有した略平行四辺形状の基板５１と、その基板５１の対向する長辺の両辺縁より下方に垂下した一対の下方把持片５４と、基板５１の両鋭角角部５１ａから短辺の延長方向に相互に遠ざかるように延び、孔５２を中心として相互に点対称位置に配された一対の側方把持片５３とを備えている（図４を参照）。
【００４３】
この一対の側方把持片５３はいずれも、基板５１の長辺５１ｂの、鋭角角部５１ａ近傍の一部が外方に向けて立ち上がった立ち上がり片５３ａと、この立ち上がり片５３ａが短辺５１ｃの延長方向に沿って折曲されて外方に延びてなる略三角形状の突出片５３ｂとより構成されている。これら２つの側方把持片５３は、孔５２を中心として相互に点対称となるように配されている（図４を参照）。
【００４４】
この横回転ロックレバー５０は、ロック状態では、図２および図５に示すように、一対の立ち上がり片５３ａが、重なり合った樋支持具本体３０のスライド板本体３１と、固定部材２の支持片部２０とを側方より挟み込むように配されている。そして、このロック状態では、一対の突出片５３ｂはスライド板本体３１の両側縁から両側方に飛び出ている。
【００４５】
また、本実施形態では樋支持具１は、ロック／アンロック状態のいずれであっても、横回転ロックレバー５０の側方把持片５３の上端、つまり側方把持片５３の立ち上がり片５３ａの上端が、固定部材２の支持片部１０の両側縁部に位置する支持片部凸条（側縁部）１１の上端を超えないように配されている（図２および図５を参照）。
【００４６】
樋支持具１をスライド調節する場合には、下方把持片５４を樋支持具１の下側より指先でつまんで回転させるか、または側方把持片５３を樋支持具１の下側あるいは上側より指先で突出片５３ｂにあてがうようにして回転させることで、ロック／アンロック操作をすることができる。
【００４７】
より具体的には、アンロック状態（図６（ｂ）を参照）からロック方向に横回転ロックレバー５０を回転操作すれば、横回転ロックレバー５０の基板５１が受板４０の膨出部４４に乗り上げ、この膨出部４４の、基板４１の裏面からの高さＬ分だけ受板４０を押し上げる。それと同時に、受板４０の爪部４２が樋支持具本体３０の下面を押し上げるとともに、爪部４２が樋支持具本体３０の下面に形成された凹凸面部３１ｄの細溝３１ｅに噛合し、樋支持具本体３０が固定部材２の支持片部１０に圧接して、ロック状態となる（図６（ａ）を参照）。
【００４８】
一方、ロック状態（図６（ａ）を参照）から横回転ロックレバー５０をアンロック方向に回転操作すれば、横回転ロックレバー５０の基板５１が、受板４０の２つの膨出部４４、４４間に嵌まり込むように、受板４０が膨出部４４の高さ分だけ落下するので、樋支持具本体３０も落下して、固定部材２の支持片部１０とのロックが解除されて、膨出部４４の高さＬ分がゆるんだアンロック状態となる（図６（ｂ）を参照）。
【００４９】
なお、以上に示した実施形態では、樋支持具本体３０と固定部材２の支持片部１０とがスライド可能なものとして、横回転ロックレバー５０が２種の把持片を備えた構造を例示したが、そのような構造に限られず、いずれか一方のみの把持片を有した構造であってもよいし、他の形状の把持片を有したものであってもよい。
【図面の簡単な説明】
【００５０】
【図１】本発明の樋支持具の一例を示す分解斜視図である。
【図２】同樋支持具の実施の態様を示す斜視図である。
【図３】同樋支持具の構成部材である固定部材の説明図で、（ａ）は平面図、（ｂ）は側面図、（ｃ）は（ａ）のＡ−Ａ線の端面図である。
【図４】（ａ）は同樋支持具の構成部材である横回転ロックレバーの平面図、（ｂ）は側面図である。
【図５】同樋支持具の４部材が連結し、ロックされた状態を示した概略拡大縦断面図である。
【図６】ロック機構の説明図であり、（ａ）はロック状態、（ｂ）はアンロック状態の概略縦断面図である。
【符号の説明】
【００５１】
１      樋支持具
２      固定部材
Ｔ      雨樋
１０      支持片部
１０ａ      一端
１０ｂ      他端
１１      支持片部凸条（側縁部）
１２      支持片部凸条（内部）
１３      支持片部凹条
２０      取付片部
２１      取付片部凸条（固定片）
２２      取付片部凸条（内部）
２３      取付片部凹条
２４      取付片部凸条（基端縁部）
３０      樋支持具本体
３１      スライド板本体
３３      本体凸条
４０      受板
５０      横回転ロックレバー
５１      基板
５３      側方把持片
５４      下方把持片